(57)【要約】【課題】音声と画像情報等の同期した情報を入手可能にし、また音声付情報端末の移動により、所望の映像や音声を入手可能にする情報端末システムを提供する。【解決手段】音声データと画像データの送信順序は、画像データの解像度や音声データの音声圧縮方式、および通信回線網の通信状態や速度に応じて選択的に決定する。またカメラを縦横または左右に移動させるときにはカメラ移動信号をコントローラ１０２に送り、コントローラ１０２はこのカメラ移動信号に従って音声データに対する処理を中止する。これにより、たとえカメラの移動に伴なってノイズが発生しても、ノイズが混入されたまま送信されることがない。【選択図】　図２
2004023420.tif 000002
【特許請求の範囲】
【請求項１】
画像情報等を入力する画像入力装置と、音声を入力する音声入力装置と、情報を送信する情報通信装置と、前記画像入力装置で入手された画像情報と前記音声入力装置で入手された音声情報を前記情報通信装置に出力するコントローラとを有する音声付情報端末であって、前記コントローラによって前記画像情報と音声情報の送信タイミングを制御することを特徴とする音声付情報端末。
【請求項２】
画像情報等を入力する画像入力装置と、音声を入力する音声入力装置と、情報を送信する情報通信装置と、前記画像入力装置で入手された画像情報と前記音声入力装置で入手された音声情報を前記情報通信装置に出力するコントローラとを有する音声付情報端末にあって、前記画像情報の解像度に応じて前記コントローラによって前記画像情報と音声情報の送信タイミングを制御することを特徴とする音声付情報端末。
【請求項３】
画像情報等を入力する画像入力装置と、前記画像入力情報を制御する画像コントローラと、音声を入力する音声入力装置と、情報を送信する情報通信装置とを有する音声付情報端末であって、
前記画像コントローラが動作する場合には前記音声入力装置を停止の設定を可能とすることを特徴とする請求項１から２記載の音声付情報端末と情報端末システム。
【請求項４】
画像情報等を入力する画像入力装置と、前記画像入力情報を制御する画像コントローラと、音声を入力する音声入力装置と、情報を送信する情報通信装置とを有する音声付情報端末にあって、
前記画像コントローラが動作する場合に発生する前記音声入力装置のノイズ情報に代わって、他の情報を設定することを可能とすることを特徴とする請求項１から２記載の音声付情報端末と情報端末システム。
【請求項５】
画像情報等を入力する画像入力装置と、音声を入力する音声入力装置と、情報を送信する情報通信装置と、装置全体を移動させる移動装置とを有する音声付情報端末であって、
前記移動装置によって得られた前記画像情報と音声情報を送信することを特徴とする請求項１から４記載の音声付情報端末と情報端末システム。
【請求項６】
画像情報等を入力する画像入力装置と、音声を入力する音声入力装置と、情報を送信する情報通信装置と、装置全体を移動させる移動装置とを有する音声付情報端末であって、
情報端末からの指令により、前記移動装置を移動させることによって得られた前記画像情報と音声情報を送信することを特徴とする請求項１から４記載の音声付情報端末と情報端末システム。
【請求項７】
電源コード等が不要な電源部と、画像情報等を入力する画像入力装置と、音声を入力する音声入力装置と、情報を送信する情報通信装置と、装置全体と無線でデータのやり取りをする無線通信装置とを有する音声付情報端末であって、
前記無線装置によって得られた前記画像情報と音声情報を送信することを特徴とする請求項１から６記載の音声付情報端末と情報端末システム。
【請求項８】
前記移動装置であって、二次元の移動または、三次元の移動が可能な構成としたことを特徴とする請求項５から７記載の音声付情報端末と情報端末システム。
【請求項９】
画像情報等を入力する画像入力装置と、音声を入力する音声入力装置と、情報を送信する情報通信装置であって、
前記画像入力装置と前記音声入力装置を前記画像コントローラが動作する場合に同様に移動することが可能な構成にすることを特徴とする請求項１から８記載の音声付情報端末と情報端末システム。
【請求項１０】
前記画像コントローラであって、拡大または縮小、縦横または左右に移動等の少なくとも一つ以上の動作することを特徴とした請求項１から９記載の音声付情報端末と情報端末システム。
【請求項１１】
前記画像入力装置の入力情報として、データ、画像などの少なくとも一つ以上のサービス情報であることを特徴とした請求項１から１０記載の音声付情報端末と情報端末システム。
【請求項１２】
外部の情報端末から前記音声付情報端末の情報を入手するためのＫＥＹを有し、前記ＫＥＹが合致したときに、前記音声付情報端末の情報を入手可能であることを特徴とした請求項１から１１記載の音声付情報端末と情報端末システム。
【請求項１３】
前記情報の入手するための課金情報管理を有することを特徴とする請求項１から１２記載の音声付情報端末と情報端末システム。
【請求項１４】
前記音声通信端末の前記情報通信装置の接続手段が、少なくとも、無線、Ｅｔｈｅｒｎｅｔ、電話線、電源ライン等の少なくとも一つの手段によって接続することを特徴とする請求項１から１３記載の音声付情報端末と情報端末システム。
【請求項１５】
前記画像コントローラが動作終了後には、前記コントローラによって前記画像情報と前記音声情報の送信タイミングを制御することを特徴とする請求項１から１４記載の音声付情報端末と情報端末システム。
【発明の詳細な説明】
【０００１】
【発明の属する技術分野】
本発明は、通信回線を介して、情報の取得や配信等を行う情報端末とシステムに関するものである。
【０００２】
【従来の技術】
図６は従来の画像端末とシステムを示すブロック図である。図６において、２００は画像端末である。２０１は電源回路であり、画像端末２００へ電源供給を行なう。２０２はコントローラであり、画像端末２００の制御を行なう。２０３は画像入力装置であり、例えば画像入力をするためのカメラである。２０４は画像コントローラであり、画像入力装置２０３のカメラの位置（例えば、拡大または縮小、縦横または左右に移動）を変更可能である。２０５は有線通信装置であり、入力された情報を通信するためのインターフェースであってＬＡＮ（例えばＥｔｈｅｒｎｅｔ（登録商標））に接続される。２０６は通信ケーブルである。２２０はゲートウエイで、有線通信装置２０５と通信ケーブル２０６を介して画像端末のデータのやり取りを行う。
【０００３】
２２１は情報端末ａである。情報端末ａ２２１は、ゲートウエイ２２０とネットワーク接続され、データの送受信を行う。２２２はインタネット接続網である。２２３は情報端末ｂであり、インターネット接続網２２２を介してゲートウエイ２２０と接続され、データの送受信を行う。
【０００４】
以下図６を参照して動作を説明する。カメラ等による画像情報等が画像入力装置２０３により取り込まれ、コントローラ２０２、有線通信装置２０５、通信ケーブル２０６を介して、ゲートウエイ２２０と接続され、また、ゲートウエイ２２０に接続された情報端末ａ２２１で情報を受け取り画像情報等の表示が可能となる。そして、情報端末ａ２２１において、画像情報の方向や大きさを変更する場合は、それに対応した設定位置情報をゲートウエイ２２０を介して、有線通信装置２０５で受信し、コントローラ２０２を経由して、画像コントローラ２０４を駆動することで、所望の画像情報を入手可能となる。
【０００５】
また、外部からの情報の入手や設定する場合は、カメラ等による画像情報等が画像入力装置２０３により取り込まれ、コントローラ２０２、有線通信装置２０５、通信ケーブル２０６を介して、ゲートウエイ２２０と接続され、また、ゲートウエイ２２０に接続されたインターネット接続網２２２を介して接続された情報端末ｂ１２３で情報を受け取り画像情報等の表示が可能となる。そして、情報端末ｂ２２３において、画像情報の方向や大きさを変更する場合は、それに対応した設定位置情報をインターネット接続網２２２、ゲートウエイ２２０を介して、有線通信装置２０５で受信し、コントローラ２０２を経由して、画像コントローラ２０４を駆動することで、所望の画像情報を入手可能となる。
【０００６】
【発明が解決しようとする課題】
しかしながら、従来のモニターカメラによる画像端末では、画像情報のみの情報を発信するシステムであり、モニター等の用途では有効であったが、音声情報を付加した情報サービスの要望されてきた。
【０００７】
本発明は上記従来技術を鑑みてなされたもので、音声付情報端末と情報端末によって、音声と画像情報等の同期した情報を入手可能となり、また、音声付情報端末の移動により、所望の映像や音声が入手可能であり、音声付情報端末の移動により発生する雑音を制御することで所望の情報を得ることができるネットワークシステムを提供することを目的とする。
【０００８】
【課題を解決するための手段】
この目的を達成するために本発明の音声付情報端末は、画像情報等を入力する画像入力装置と音声を入力する音声入力装置と情報を送信する情報通信装置と前記画像入力装置で入手された画像情報と前記音声入力装置で入手された音声情報を前記情報通信装置に出力するコントローラを有する音声付情報端末であって、前記コントローラによって前記画像情報と音声情報の送信タイミングを制御することよって、情報を配信することができるシステムを提供するものである。
【０００９】
また、画像コントローラや移動装置によって、所望な位置への移動した画像情報と音声情報の入手が可能となり、画像コントローラや移動装置が動作する場合には音声入力装置を停止することでを不快なノイズ情報を送信しないことによってノイズのない情報を入手可能となるシステムを提供するものである。
【００１０】
【発明の実施の形態】
本発明の請求項１に記載の発明は、画像情報等を入力する画像入力装置と音声を入力する音声入力装置と情報を送信する情報通信装置と前記画像入力装置で入手された画像情報と前記音声入力装置で入手された音声情報を前記情報通信装置に出力するコントローラを有する音声付情報端末であって、前記コントローラによって前記画像情報と音声情報の送信タイミングを制御することで、所望の画像情報と音声情報を入手することができる。
【００１１】
本発明の請求項２に記載の発明は、画像情報等を入力する画像入力装置と音声を入力する音声入力装置と情報を送信する情報通信装置と前記画像入力装置で入手された画像情報と前記音声入力装置で入手された音声情報を前記情報通信装置に出力するコントローラを有する音声付情報端末であって、前記画像情報の解像度に応じて前記コントローラによって前記画像情報と音声情報の送信タイミングを制御することよって、画像情報の情報量の大きさに左右されにくい音声情報を入手することができる。
【００１２】
本発明の請求項３に記載の発明は、画像情報等を入力する画像入力装置と前記画像入力情報を制御する画像コントローラと音声を入力する音声入力装置と情報を送信する情報通信装置を有する音声付情報端末であって、前記画像コントローラが動作する場合には前記音声入力装置を停止の設定を可能とすることによって、画像コントローラの移動動作によって発生する雑音を除いた音声情報を入手することができる。
【００１３】
本発明の請求項４に記載の発明は、画像情報等を入力する画像入力装置と前記画像入力情報を制御する画像コントローラと音声を入力する音声入力装置と情報を送信する情報通信装置を有する音声付情報端末であって、前記画像コントローラが動作する場合に発生する前記音声入力装置のノイズ情報の代わって、他の情報を設定することによって、画像コントローラの移動動作によって発生する雑音を除いた音声情報を入手することができる。
【００１４】
本発明の請求項５に記載の発明は、画像情報等を入力する画像入力装置と音声を入力する音声入力装置と情報を送信する情報通信装置と装置全体を移動させる移動装置を有する音声付情報端末であって、前記移動装置によって得られた前記画像情報と音声情報を送信することによって、所望の場所に移動して音声情報と画像情報を入手することができる。
【００１５】
本発明の請求項６に記載の発明は、画像情報等を入力する画像入力装置と音声を入力する音声入力装置と情報を送信する情報通信装置と装置全体を移動させる移動装置を有する音声付情報端末であって、情報端末からの指令により、前記移動装置を移動させることによって得られた前記画像情報と音声情報を送信することで、より正確な情報を入手できる。
【００１６】
本発明の請求項７に記載の発明は、電源コード等が不要な電源を供給する電源部と画像情報等を入力する画像入力装置と音声を入力する音声入力装置と情報を送信する情報通信装置と装置全体を移動させる移動装置と無線でデータのやり取りをする無線通信装置を有する音声付情報端末であって、前記移動装置によって得られた前記画像情報と音声情報を送信することで所望の情報を入手できる。
【００１７】
本発明の請求項８に記載の発明は、前記移動装置であって、二次元の移動または、三次元の移動が可能な構成としたことで、任意の場所への移動が可能となり、より正確な所望な情報を入手できる。
【００１８】
本発明の請求項９に記載の発明は、画像情報等を入力する画像入力装置と音声を入力する音声入力装置と情報を送信する情報通信装置とであって、前記画像入力装置と前記音声入力装置が前記画像コントローラを動作する場合に同様に移動することが可能な構成にすることで、より正確な音声情報を入手することができる。
【００１９】
本発明の請求項１０に記載の発明は、前記画像コントローラであって、拡大または縮小、縦横または左右に移動等の少なくとも一つ以上の動作することで、画像入力機能において、拡大または縮小、縦横または左右の移動動作が可能なことで、所望の情報を容易に取得することができる作用を有する。
【００２０】
本発明の請求項１１に記載の発明は、前記音声付情報端末において、入力装置は、情報として、音声情報、データ情報および画像情報のうちの少なくとも１つの情報を生成することとしたものであって、この構成により、音声情報、データ情報、画像情報のうちの少なくとも１つのサービス情報を取得することができるという作用を有する。
【００２１】
本発明の請求項１２に記載の発明は、外部の情報端末から、前記音声付情報端末の情報を取得するためのキー情報を有し、キー情報が合致したときのみ、音声付情報端末からの情報を取得できることとした構成により、サービス情報の安全な配信を確保することができるという作用を有する。
【００２２】
本発明の請求項１３に記載の発明は、前記音声付情報端末と情報端末とを有する情報通信システムであって、音声付情報端末から情報を取得するための課金情報を有することとしたものであるこの構成により、情報を取得するための課金情報の管理をすることができ、課金の管理と収入配分の管理が可能となるという作用を有する。
【００２３】
本発明の請求項１４に記載の発明は、前記音声通信端末の前記情報通信装置の接続手段が、無線、Ｅｔｈｅｒｎｅｔ、電話線、電源ライン等の少なくとも一つの手段によって接続することによって、配線が容易にできる。
【００２４】
本発明の請求項１５に記載の発明は、前記画像コントローラが動作終了後には、前記コントローラによって前記画像情報と前記音声情報の送信タイミングを制御することによって、画像情報と音声情報の同期をとることが可能になる。
【００２５】
以下、本発明に実施の形態について、図１〜５を用いて説明する。
【００２６】
（実施の形態１）
図１は本発明の実施の形態１における音声付情報端末と情報端末システムを示すブロック図である。図１において、１００は音声付情報端末である。１０１は電源回路であり、音声付情報端末１００へ電源供給を行なう。１０２はコントローラであり、音声付情報端末１００の制御を行なう。１０３は画像入力装置であり、例えばＣＣＤ等の撮像素子等を備えたカメラである。画像入力をする場合にはこのカメラで画像情報を取りこみ、例えばＪＰＥＧやＭＰＥＧ形式等の映像デジタルデータに信号圧縮する。また、画像の要求解像度（例えば６４０×４８０、３２０×２４０、１６０×１２０等）に応じて、解像度を選択してデータの信号圧縮を行う。１０５は有線通信装置であり、入力された情報を通信するためのインターフェースであってＬＡＮ（例えばＥｔｈｅｒｎｅｔ（登録商標））に接続される。１０６は通信ケーブルである。
【００２７】
１０７は音声入力装置であり、マイク等によりアナログ音声入力を取り込み、音声圧縮方式であるＧ．７２１、Ｇ．７２３、Ｇ．７２６、Ｇ．７２８、Ｇ．７２９等の方式にて音声デジタルデータにする。１２０はゲートウエイで、有線通信装置１０５と通信ケーブル１０６を介して画像と音声情報のデータのやり取りを行う。
【００２８】
１２１は情報端末ａである。情報端末ａ１２１はゲートウエイ１２０とネットワーク接続され、データの送受信を行う。１２２はインターネット接続網である。１２３は情報端末ｂであり、インターネット接続網１２２を介してゲートウエイ１２０と接続され、データの送受信を行う。
【００２９】
以下図１を参照して動作を説明する。画像入力装置１０３でカメラ等による画像情報等が取り込まれ、例えばＪＰＥＧ形式・解像度６４０×４８０の要求で映像デジタルデータに信号圧縮され、７．５ｆｐｓ（ｆｒａｍｅ　ｐｅｒ　ｓｅｃｏｎｄ：１秒間における動画やスライドなどの表示回数）でコントローラ１０２に送信される。
【００３０】
また、音声入力装置１０７でマイク等によるアナログ音声情報が取り込まれ、例えば音声圧縮方式Ｇ．７２６を使用してアナログ音声情報を音声デジタルデータに信号圧縮され、３２Ｋｂｐｓでコントローラ１０２に送信される。コントローラ１０２では、画像入力装置１０３からの映像デジタルデータと音声入力装置１０７からの音声デジタルデータを得て、両方のデータを多重して有線通信装置１０５へ送る。有線通信装置１０５から送信されたデータは、通信ケーブル１０６を介してゲートウエイ１２０、情報端末ａ１２１で受け取られ、表示装置およびスピーカで、画像の表示および音声の再生が可能となる。また、同様に、ゲートウエイ１２０、インターネット接続網１２２を介して、情報端末ｂ１２３で受け取られ、表示装置およびスピーカで、画像の表示および音声の再生が可能となる。
【００３１】
このとき、音声データと画像データの送信順序は、画像データの解像度や音声データの音声圧縮方式、および通信回線網の通信状態や速度に応じて選択的に決定している。すなわち、その時の状況により音声が画像よりも遅れる傾向がある場合には音声データの送信順位を画像データよりも早め、逆に音声が進む傾向がある場合には画像データの送信順位を音声データよりも早める。このようにの送信順序を調整しているので、画像と音声の同期をとることが可能となる。
【００３２】
音声付情報端末１００、ゲートウエイ１２０および情報端末ａ１２１へのＬＡＮインターフェースは、物理層として、Ｅｔｈｅｒｎｅｔ、電話線、光ファイバー、同軸ケーブル、電力線に限定するものでなく、ネットワーク接続が可能であればよい。情報端末ａ１２１、ｂ１２３は、電話機、ＦＡＸ、テレビ電話機、パソコン等であってもよい。
【００３３】
また、インターネット接続網１２２は、ＩＳＤＮのような統合デジタル通信網、国際公衆網、ケーブルモデム網、ＤＳＬモデム網、ＦＴＴＨ又は企業内で独自に構築したイントラネット網であってもよい。つまり、情報端末ｂ１２３から、インターネットへ接続できればよい。インターネット接続網１２２は、ＯＳＩ（Ｏｐｅｎ　Ｓｙｓｔｅｍｓ　Ｉｎｔｅｒｃｏｎｎｅｃｔｉｏｎ）におけるＩＰ（Ｉｎｔｅｒｎｅｔ　Ｐｒｏｔｏｃｏｌ）層を提供できるものであれば、開放型広域ネットワークでも企業内で独自に構築したイントラネット網でもかまわない。また、物理層、データリンク層及びネットワーク層に特別の限定も必要ない。
【００３４】
本実施の形態において、音声情報と画像情報を内部のメモリに一時保管して、随時、伝送する方式でのシステム構成も可能であるが、記録装置、例えばハードディスクドライブに保存して、要望があった時に、配信する方式をとっても実現できることは言うまでもない。
【００３５】
また、画像入力装置１０３で画像の信号圧縮をする構成にしているが、コントローラ１０２のソフトウエアや他方式で実現できることは言うまでもない。音声圧縮に関しても、同様に音声入力装置１０７も構成に限定する必要はない。
【００３６】
なお、本実施の形態においては、ゲートウエイ１２０を介してインターネット接続網１２２と接続する構成にしているが限定するものではなく、音声付情報端末１００が直接インターネット接続網１２２に接続する構成にできることは可能であり、また、情報端末ａ１２１に接続するために音声付情報端末１００がゲートウエイ１２０の機能を取り込むことも可能である。
【００３７】
（実施の形態２）
図２は本発明の実施の形態２における音声付情報端末と情報端末システムを示すブロック図である。図２において、図１の実施の形態と同一番号のものは同様なものなので、同一符号を付与し、説明は省略する。１０４は画像入力装置１０３のカメラの位置を変更することが可能な画像コントローラである。画像コントローラ１０４は、例えば画像を拡大したり、縮小することができ、またカメラを縦横または左右に移動させることができる。画像コントローラ１０４は、カメラを縦横または左右に移動させるときにはカメラ移動信号をコントローラ１０２に送り、コントローラ１０２はこのカメラ移動信号に従って音声データに対する処理を中止する。
【００３８】
画像コントローラ１０４がカメラを移動させたときに、その移動に伴なうノイズが発生することがあるが、このようにカメラ移動中にコントローラ１０２が音声データを出力させない構成にすることにより、情報端末ａ１２１、ｂ１２３ではノイズの無い音声信号を再生することが可能となる。なお、カメラ移動信号に従って音声データに対する処理を中止するか否かは使用者により選択可能にしてもよい。
【００３９】
以下図２を参照して動作を説明する。画像入力装置１０３でカメラ等による画像情報等が取り込まれ、例えばＪＰＥＧ形式・解像度６４０×４８０の要求で映像デジタルデータに信号圧縮され、７．５ｆｐｓでコントローラ１０２に送信される。また、音声入力装置１０７でマイク等によるアナログ音声情報が取り込まれ、例えば音声圧縮方式Ｇ．７２６を使用してアナログ音声情報を音声デジタルデータに信号圧縮され、３２Ｋｂｐｓでコントローラ１０２に送信される。
【００４０】
コントローラ１０２では、画像入力装置１０３からの映像デジタルデータと音声入力装置１０７からの音声デジタルデータを得て、両方のデータを多重して有線通信装置１０５へ送る。有線通信装置１０５から送信された音声データは、通信ケーブル１０６を介してゲートウエイ１２０、情報端末ａ１２１で受け取られ、表示装置およびスピーカで、画像の表示および音声の再生が可能となる。
【００４１】
そして、情報端末ａ１２１において画像の方向や大きさを変更する場合は、それに対応した設定位置データを情報端末ａ１２１から送信する。送られてきた設定位置データをゲートウエイ１２０を介して通信ケーブル１０６、有線通信装置１０５で受信し、コントローラ１０２を経由して、画像コントローラ１０４を駆動することで移動が可能になる。この画像コントローラ１０４を駆動している時にも、音声入力装置１０７でマイク等によるアナログ音声情報が取り込まれ、アナログ音声情報を音声デジタルデータに信号圧縮され、３２Ｋｂｐｓでコントローラ１０２に送信される。移動によるノイズが発生していても、このときコントローラ１０２ではこの音声信号採用しないでノイズのない音声データを採用し、画像入力装置１０３からの映像デジタルデータと両方のデータを多重して、有線通信装置１０５へ送る。有線通信装置１０５から送信される、通信ケーブル１０６を介してゲートウエイ１２０、情報端末ａ１２１で受け取られ、表示装置およびスピーカで、画像の表示およびノイズのない音声の再生が可能となる。
【００４２】
また、同様に、ゲートウエイ１２０、インターネット接続網１２２を介して、情報端末ｂ１２３で同様な動作を実現し、表示装置およびスピーカで、画像の表示およびノイズのない音声の再生が可能となる。
【００４３】
なお、画像コントローラ１０４は、画像の拡大または縮小、カメラ位置の縦横または左右への移動が用途に応じて選択されるような構成であっても良い。
【００４４】
ここで、コントローラ１０２は、移動によるノイズの発生した音声信号の変わりに、音楽等を送信すること構成にすることが可能であり、また、この送信したいデータを外部の情報端末から設定する構成にできることは言うまでもない。
【００４５】
以上のように本実施の形態によれば、画像コントローラ１０４が動作する場合には、その移動によってノイズが発生しても、音声入力装置１０７で取り込む音声データに対して、コントローラ１０２はノイズを含んだ音声データを送信しない設定をするができる構成にすることで、情報端末ａ１２１、ｂ１２３ではノイズの無い音声信号を再生することが可能となる。
【００４６】
また、画像データの解像度や音声データの音声圧縮方式、および通信回線網の通信状態や速度に応じて、音声データと画像データの送信順序を選択的にすることで、画像と音声の同期をとることが可能となる。
【００４７】
音声付情報端末１００、ゲートウエイ１２０および情報端末ａ１２１へのＬＡＮインターフェースは、物理層として、Ｅｔｈｅｒｎｅｔ、電話線、光ファイバー、同軸ケーブル、電力線に限定するものでなく、ネットワーク接続が可能であればよい。
【００４８】
情報端末ａ１２１および情報端末ｂ１２３は、電話機、ＦＡＸ、テレビ電話機、パソコン等であってもよい。また、インターネット接続網１２２は、ＩＳＤＮのような統合デジタル通信網、国際公衆網、ケーブルモデム網、ＤＳＬモデム網、ＦＴＴＨ又は企業内で独自に構築したイントラネット網であってもよい。つまり、情報端末ｂ１２３から、インターネットへ接続できればよい。インターネット接続網１２２は、ＯＳＩ（Ｏｐｅｎ　Ｓｙｓｔｅｍｓ　Ｉｎｔｅｒｃｏｎｎｅｃｔｉｏｎ）におけるＩＰ（Ｉｎｔｅｒｎｅｔ　Ｐｒｏｔｏｃｏｌ）層を提供できるものであれば、開放型広域ネットワークでも企業内で独自に構築したイントラネット網でもかまわない。また、物理層、データリンク層及びネットワーク層に特別の限定も必要ない。
【００４９】
本実施の形態において、音声情報と画像情報を内部のメモリに一時保管して、随時、伝送する方式でのシステム構成も可能であるが、記録装置、例えばハードディスクドライブに保存して、要望があった時に、配信する方式をとっても実現できることは言うまでもない。
また、画像入力装置１０３で画像の信号圧縮をする構成にしているが、コントローラ１０２のソフトウエアや他方式で実現できることは言うまでもない。音声圧縮に関しても、同様に音声入力装置１０７も構成に限定する必要はない。
【００５０】
なお、本実施の形態においては、ゲートウエイ１２０を介してインターネット接続網１２２と接続する構成にしているが限定するものではなく、音声付情報端末１００が直接インターネット接続網１２２に接続する構成にできることは可能であり、また、情報端末ａ１２１に接続するために音声付情報端末１００がゲートウエイ１２０の機能を取り込むことも可能である。
【００５１】
（実施の形態３）
図３は本発明の実施の形態３における音声付情報端末と情報端末システムを示すブロック図である。図３において、図１と図２の実施の形態と同一番号のものは同様なものなので、同一符号を付与し、説明は省略する。１０８は無線通信装置であり、音声データや画像データを無線ネットワークで送受信する。１０９は音声付情報端末１００を移動する移動装置であり、任意の場所に移動することで、より詳細な画像情報と音声情報を得ることが可能となる。ここで、移動装置１０９が動作し、音声付情報端末１００を移動させるときには端末移動信号をコントローラ１０２に送り、コントローラ１０２はこの端末移動信号に従って音声データに対する処理を中止する。
【００５２】
移動装置１０９が動作するときは例えばモータの回転に伴なうノイズが発生することがあるが、このように移動装置の動作中にコントローラ１０２が音声データを出力させない構成にすることにより、情報端末ａ１２１、ｂ１２３ではノイズの無い音声信号を再生することが可能となる。なお、端末移動信号に従って音声データに対する処理を中止するか否かは使用者により選択可能にしてもよい。
【００５３】
以下図３を参照して動作を説明する。画像入力装置１０３でカメラ等による画像情報等が取り込まれ、例えばＪＰＥＧ形式・解像度６４０×４８０の要求で映像デジタルデータに信号圧縮され、７．５ｆｐｓでコントローラ１０２に送信される。また、音声入力装置１０７でマイク等によるアナログ音声情報が取り込まれ、例えば音声圧縮方式Ｇ．７２６を使用してアナログ音声情報を音声デジタルデータに信号圧縮され、３２Ｋｂｐｓでコントローラ１０２に送信される。
【００５４】
コントローラ１０２では、画像入力装置１０３からの映像デジタルデータと音声入力装置１０７からの音声デジタルデータを得て、両方のデータをミックスして、無線通信装置１０８へ送信され、無線データの受信が可能なゲートウエイ１２０を介して、情報端末ａ１２１で受け取られ、表示装置およびスピーカで、画像の表示および音声の再生が可能となる。
【００５５】
そして、音声付情報端末１００の位置や情報端末ａ１２１にて見れる画像の方向や大きさを変更る場合は、それに対応した移動位置データを情報端末ａ１２１から送信する。送られてきた移動位置データをゲートウエイ１２０を介して、無線通信装置１０８で受信し、コントローラ１０２を経由して、画像コントローラ１０４と移動装置１０９を駆動することで移動が可能になる。
【００５６】
この画像コントローラ１０４と移動装置１０９を駆動している時には、音声入力装置１０７でマイク等によるアナログ音声情報が取り込まれ、アナログ音声情報を音声デジタルデータに信号圧縮され、３２Ｋｂｐｓでコントローラ１０２に送信されるが、移動によるノイズが発生しているので、コントローラ１０２では、この音声信号採用しないで、画像入力装置１０３からの映像デジタルデータと両方のデータをミックスして、無線通信装置１０８へ送信され、ゲートウエイ１２０を介して、情報端末ａ１２１で受け取られ、表示装置およびスピーカで、画像の表示およびノイズのない音声の再生が可能となる。
【００５７】
また、同様に、ゲートウエイ１２０、インターネット接続網１２２を介して、情報端末ｂ１２３で同様な動作を実現し、表示装置およびスピーカで、画像の表示およびノイズのない音声の再生が可能となる。
【００５８】
なお、画像コントローラ１０４は、画像の拡大または縮小、カメラ位置の縦横または左右への移動が用途に応じて選択されるような構成であっても良い。また、画像コントローラ１０４と移動装置１０９は選択的な構成なシステム構成も可能である。さらに、移動装置１０９は平面移動または垂直移動が少なくとも１つの動作が可能な構成であってよい。
【００５９】
ここで、コントローラ１０２は、移動によるノイズの発生した音声信号の変わりに、音楽等を送信することが可能であり、また、この送信したデータを外部の情報端末から設定する構成にできることは言うまでもない。
【００６０】
以上のように本実施の形態によれば、画像コントローラ１０４と移動装置１０９が動作する場合には、その移動にともうノイズが発生しても、音声入力装置１０７で取り込む音声データに対して、コントローラ１０２はノイズを含んだ音声データを送信しない設定をするができる構成にすることで、情報端末ａ１２１、ｂ１２３ではノイズの無い音声信号を再生することが可能となり、拡大・縮小および縦横左右への移動のうちの少なくとも１つの動作を行うことにより、拡大または縮小、縦横または左右の移動のうちの少なくとも１つの動作が可能なことで、所望の画像情報とノイズのない音声を取得することができる。
【００６１】
ここで、画像データの解像度や音声データの音声圧縮方式、および通信回線網の通信状態や速度に応じて、音声データと画像データの送信順序を選択的にすることで、画像と音声の同期をとることが可能となる。
【００６２】
音声付情報端末１００、ゲートウエイ１２０および情報端末ａ１２１へのＬＡＮインターフェースは、物理層として、Ｅｔｈｅｒｎｅｔ、電話線、光ファイバー、同軸ケーブル、電力線に限定するものでなく、ネットワーク接続が可能であればよい。
【００６３】
情報端末ａ１２１、ｂ１２３は、電話機、ＦＡＸ、テレビ電話機、パソコン等であってもよい。また、インターネット接続網１２２は、ＩＳＤＮのような統合デジタル通信網、国際公衆網、ケーブルモデム網、ＤＳＬモデム網、ＦＴＴＨ又は企業内で独自に構築したイントラネット網であってもよい。つまり、情報端末ｂ１２３から、インターネットへ接続できればよい。インターネット接続網１２２は、ＯＳＩ（Ｏｐｅｎ　Ｓｙｓｔｅｍｓ　Ｉｎｔｅｒｃｏｎｎｅｃｔｉｏｎ）におけるＩＰ（Ｉｎｔｅｒｎｅｔ　Ｐｒｏｔｏｃｏｌ）層を提供できるものであれば、開放型広域ネットワークでも企業内で独自に構築したイントラネット網でもかまわない。また、物理層、データリンク層及びネットワーク層に特別の限定も必要ない。
【００６４】
本実施の形態において、音声情報と画像情報を内部のメモリに一時保管して、随時、伝送する方式でのシステム構成も可能であるが、記録装置、例えばハードディスクドライブに保存して、要望があった時に、配信する方式をとっても実現できることは言うまでもない。
【００６５】
また、画像入力装置１０３で画像の信号圧縮をする構成にしているが、コントローラ１０２のソフトウエアや他方式で実現できることは言うまでもない。音声圧縮に関しても、同様に音声入力装置１０７も構成に限定する必要はない。
【００６６】
なお、本実施の形態においては、ゲートウエイ１２０を介してインターネット接続網１２２と接続する構成にしているが限定するものではなく、音声付情報端末１００が直接インターネット接続網１２２に接続する構成にできることは可能であり、また、情報端末ａ１２１に接続するために音声付情報端末１００がゲートウエイ１２０の機能を取り込むことも可能である。
【００６７】
（実施の形態４）
図４は本発明の実施の形態４における音声付情報端末と情報端末システムを示すブロック図である。図４において、図１、図２、図３の実施の形態と同一番号のものは同様なものなので、同一符号を付与し、説明は省略する。１１０は電源部、１１１は太陽電池、１１２は蓄電池である。音声付情報端末１００への電力供給は、太陽電池１１１により発電された電力が電源部１１０を介して蓄電池１１２に充電されると共に、その一部は電源部１１０を介して安定した電力に変換された後に、各部に供給される。また、夜間や雨で太陽電池１１１の発電が得られない場合は、蓄電池１１２に蓄えた電力が各部に供給され、安定な電力が供給される。また、音声付情報端末１００は移動装置１０９で移動が可能である。
【００６８】
以上のように本実施の形態によれば、音声付情報端末１００の電源供給を太陽電池１１１と蓄電池１１２で行い、また、無線通信装置１０８でデータ通信をすることと移動装置１０９で移動ができ、電源および信号の配線工事を無くすことができるとともに、移動場所の制約が無く任意の場所に移動可能であり、必要な音声情報と画像情報を取得することが可能となる。
【００６９】
なお、本実施形態において、電源の供給に太陽電池を用いた構成にしているが、同様な機能を持った構成でも可能であるし、例えば蓄電池に充電したり、充電した電池を設置する構成にできることは言うまでもない。
【００７０】
画像コントローラ１０４は、画像の拡大または縮小、カメラ位置の縦横または左右への移動が用途に応じて選択されるような構成であっても良い。また、画像コントローラ１０４と移動装置１０９は選択的な構成なシステム構成も可能である。さらに、移動装置１０９は平面移動または垂直移動が少なくとも１つの動作が可能な構成であってよい。
【００７１】
ここで、コントローラ１０２は、移動によるノイズの発生した音声信号の変わりに、音楽等を送信することが可能であり、また、この送信したデータを外部の情報端末から設定する構成にできることは言うまでもない。
【００７２】
音声付情報端末１００、ゲートウエイ１２０および情報端末ａ１２１へのＬＡＮインターフェースは、物理層として、Ｅｔｈｅｒｎｅｔ、電話線、光ファイバー、同軸ケーブル、電力線に限定するものでなく、ネットワーク接続が可能であればよい。
【００７３】
情報端末ａ１２１、ｂ１２３は、電話機、ＦＡＸ、テレビ電話機、パソコン等であってもよい。また、インターネット接続網１２２は、ＩＳＤＮのような統合デジタル通信網、国際公衆網、ケーブルモデム網、ＤＳＬモデム網、ＦＴＴＨ又は企業内で独自に構築したイントラネット網であってもよい。つまり、情報端末ｂ１２３から、インターネットへ接続できればよい。インターネット接続網１２２は、ＯＳＩ（Ｏｐｅｎ　Ｓｙｓｔｅｍｓ　Ｉｎｔｅｒｃｏｎｎｅｃｔｉｏｎ）におけるＩＰ（Ｉｎｔｅｒｎｅｔ　Ｐｒｏｔｏｃｏｌ）層を提供できるものであれば、開放型広域ネットワークでも企業内で独自に構築したイントラネット網でもかまわない。また、物理層、データリンク層及びネットワーク層に特別の限定も必要ない。
【００７４】
本実施の形態において、音声情報と画像情報を内部のメモリに一時保管して、随時、伝送する方式でのシステム構成も可能であるが、記録装置、例えばハードディスクドライブに保存して、要望があった時に、配信する方式をとっても実現できることは言うまでもない。
また、画像入力装置１０３で画像の信号圧縮をする構成にしているが、コントローラ１０２のソフトウエアや他方式で実現できることは言うまでもない。音声圧縮に関しても、同様に音声入力装置１０７も構成に限定する必要はない。
【００７５】
なお、本実施の形態においては、ゲートウエイ１２０を介してインターネット接続網１２２と接続する構成にしているが限定するものではなく、音声付情報端末１００が直接インターネット接続網１２２に接続する構成にできることは可能であり、また、情報端末ａ１２１に接続するために音声付情報端末１００がゲートウエイ１２０の機能を取り込むことも可能である。
【００７６】
（実施の形態５）
図５は本発明の実施の形態５における音声付情報端末の入力装置を示すブロック図である。ここで、画像入力装置１０３、音声入力装置１０７は、図１、図２、図３、図４の音声付情報端末を構成する入力装置１３０である。ここで、入力装置１３０において、画像入力装置１０３と音声入力装置が一体または、移動する場合に同様に移動する構成とした入力装置である。また、画像コントローラ、コントローラは、図１、図２、図３、図４の音声付情報端末を構成する画像コントローラ１０４、コントローラ１０２である。
【００７７】
図５において、１０３はカメラ等によって画像信号を入力し、入力画像信号をデジタル化して画像データとして出力する画像入力装置、１０７はマイク等によって音声信号を入力し、入力信号をデジタル化して音声出力として出力する音声入力装置である。
【００７８】
画像の方向や大きさを変更する指令を受けて、画像コントローラ１０４を駆動することで入力装置１３０を移動させる。入力装置１３０の画像入力装置１０３と音声入力装置１０７が同様な位置に移動することで、所望の画像と指向性のない音声を取得することが可能となる。
【００７９】
ここで、実施の形態１〜５において、情報端末との情報のやりとりをするために、セキュリティ機能を入れた方が良いことは言うまでもないし、容易に構成することができる。例えば、情報端末から、他の情報端末の情報を入手するためには、特別なキーを設定し、キーのやりとりを行い、キーが合致したときに、情報を入手可能とすることで、セキュリティを保つことができる。
【００８０】
また、情報端末や上位のシステム（例えば情報配信サーバ）との情報のやりとりにおいて回線使用料等に応じた課金管理、また広告料の管理をしたシステムを構築することで、利用者、情報配信者の費用負担の分担および管理ができるシステム構築が可能となる。
【００８１】
また、画像コントローラが動作終了後には、コントローラによって画像情報と音声情報の送信するタイミングを初期化する構成にすることによって、画像情報と音声情報の同期をとるシステムを構築することが可能になる。
【００８２】
なお、本発明は、ゲートウエイのインタフェースを実施の形態１〜５に限定するものではなく、インタフェースの物理層の種類およびその数を規定するものではない。
【００８３】
さらに、音声付情報端末にスピーカ等の音声出力装置が付加されて、双方向で通信可能な構成へ適用できることは、言うまでもない。さらに、データの送受信として、携帯電話網等でシステムを実現可能であり、適用が可能である。
【００８４】
本実施の形態では、移動によるノイズの音声データを採用するかは選択可能であり、選択しない場合には、移動時に音声データも入手可能なシステム運用も可能なことを付記しておく。
【００８５】
【発明の効果】
以上のように本発明は、音声付情報端末と情報端末によって、音声と画像情報等の同期した情報を入手可能となり、また、音声付情報端末の移動により、所望の映像や音声が入手可能であり、音声付情報端末の移動により発生する雑音を制御することで所望の情報を得ることができるネットワークシステムを構築することができ、その実用的効果は大なるものがある。
【図面の簡単な説明】
【図１】本発明の実施の形態１における音声付情報端末と情報端末システムを示すブロック図
【図２】本発明の実施の形態２における音声付情報端末と情報端末システムを示すブロック図
【図３】本発明の実施の形態３における音声付情報端末と情報端末システムを示すブロック図
【図４】本発明の実施の形態４における音声付情報端末と情報端末システムを示すブロック図
【図５】本発明の実施の形態５における音声付情報端末の入力装置を示すブロック図
【図６】従来の画像端末とシステムを示すブロック図
【符号の説明】
１００　音声付情報端末
１０１　電源回路
１０２　コントローラ
１０３　画像入力装置
１０４　画像コントローラ
１０５　有線通信装置
１０６　通信ケーブル
１０７　音声入力装置
１０８　無線通信装置
１０９　移動装置
１１０　電源部
１１１　太陽電池
１１２　蓄電池
１２０　ゲートウエイ
１２１　情報端末ａ
１２２　インターネット接続網
１２３　情報端末ｂ
１３０　入力装置
２００　画像端末
２０１　電源回路
２０２　コントローラ
２０３　画像入力装置
２０４　画像コントローラ
２０５　有線通信装置
２０６　通信ケーブル
２２０　ゲートウエイ
２２１　情報端末ａ
２２２　インターネット接続網
２２３　情報端末ｂ
【図１】
2004023420.tif 000003
【図２】
2004023420.tif 000004
【図３】
2004023420.tif 000005
【図４】
2004023420.tif 000006
【図５】
2004023420.tif 000007
【図６】
2004023420.tif 000008